(57)【特許請求の範囲】
【請求項１】
直方体状の箱本体の前面と両側面とに前扉と側扉とを設けるとともに、これら両側面の側扉の内側位置に、前方に向けて張出する上下の受け金間にユニットを多数並設できるコ字状のマウントユニットをそれぞれ取り付け、箱本体の左右からユニットの着脱作業を可能としたことを特徴とするラックマウント型電子機器収納箱。
【請求項２】
前扉と側扉の各側端部を除く外面に、遮光板を取り付けた請求項１に記載のラックマウント型電子機器収納箱。
【発明の詳細な説明】
【０００１】
【発明の属する技術分野】
本発明は、箱本体の内部に取り付けられたマウントユニットにユニットを取り付ける形式のラックマウント型電子機器収納箱に関するものである。
【０００２】
【従来の技術】
従来のラックマウント型電子機器収納箱は、前面の開口側から電子機器類を装着する構造となっていた。しかし収納機器が増えた場合には箱本体の奥行きを深くせざるを得ず、壁面からの突出量が増して占有面積を増大させるうえに、通行の邪魔になるという問題があった。そこで、マウントユニットの数を増やして横方向に並べることにより箱本体の奥行きを減少させることも考えられるが、マウントユニットに取り付けた電子機器類への着脱作業やメンテナンス作業が行いにくくなるという問題があった。
【０００３】
【発明が解決しようとする課題】
本発明は上記した従来の問題点を解決し、壁面からの突出量が少なくても多数の機器を収納でき、電子機器類への着脱作業やメンテナンス作業も容易に行えるラックマウント型電子機器収納箱を提供することを目的とするものである。
【０００４】
【課題を解決するための手段】
上記の目的を達成するためになされた本発明は、直方体状の箱本体の前面と両側面とに前扉と側扉とを設けるとともに、これら両側面の側扉の内側位置に、前方に向けて張出する上下の受け金間にユニットを多数並設できるコ字状のマウントユニットをそれぞれ取り付け、箱本体の左右からユニットの着脱作業を可能としたことを特徴とするものである。なお、前扉と側扉の各側端部を除く外面に、遮光板を取り付けた構造とすることができる。
【０００５】
本発明のラックマウント型電子機器収納箱は、箱本体の両側面の側扉の内側位置に、前方に向けて張出する上下の受け金間にユニットを多数並設できるコ字状のマウントユニットをそれぞれ取り付けたので、マウントユニットを左右に分割でき、箱本体の奥行きが小さくても多数のユニットを取り付けることができる。また、側扉を開くことにより各マウントユニットにマウントされたユニットへの着脱作業やメンテナンス作業も容易に行うことができる。更に前扉と側扉の各側端部を除く外面に遮光板を取り付けた構造とすることにより、屋外に設置した場合にも内部の温度上昇を防止することができる。しかも扉全体に遮光板を取り付けた場合よりも、扉が背面の壁に当たりにくくなり、開き角度を大きくして側面からのメンテナンス性を向上させることができる。
【０００６】
【発明の実施の形態】
次に、本発明の好ましい実施の形態を詳細に説明する。
図１、図２は本発明の第１の実施形態を示すもので、１は直方体状の箱本体であり、フレーム２に天板３と背板４と底板５を取り付けたものである。その前面には前扉６が蝶番７によって開閉自在に取り付けられており、また左右両側には側扉８，８がそれぞれ蝶番９によって取り付けられている。箱本体１の背面は壁面に密着配置されるのが普通であるから、側扉８，８は前側が開くようになっている。このように扉は蝶番７，９により取り付けるのが普通であるが、場合によっては扉をネジ止めとすることもできる。
【０００７】
この箱本体１の内部の左右位置には、コ字状のマウントユニット１０が取り付けられている。各マウントユニット１０は、図２に示すようなユニット１１を多数並設できるものである。ただし図２には１枚のユニット１１だけが示されている。各マウントユニット１０は、左右の側扉８，８の内側に配置されている。この実施形態においては、各マウントユニット１０は背板４の上下に設けられたラックレール１２に支持されている。
【０００８】
コ字状のマウントユニット１０に取り付けられるユニット１１は、例えば背面にケーブル接続用の多数の接続部が形成されるネットワーク構築用のハブであり、上下の受け金１３，１３が前方に向けて張出されるマウントユニット１０に対して、接続部を有する背面が横向きとなるように配置される。このように配置することにより、前扉６を開ければユニット１１の背面は外部に露呈され、ケーブルの接続やメンテナンスを容易に行うことができる。またマウントユニット１０に取り付けられるユニット１１は、側扉の内側位置に配置されているから、側扉８を開くことによりユニット１１の着脱や配線等を容易に行うことができる。
【０００９】
【００１０】
このようなラックマウント型電子機器収納箱を屋外に設置する場合には、図３に示すように前扉６と左右両側の側扉８，８に遮光板１４を取り付けて直射日光による内部温度の上昇を防止することが好ましい。このような遮光板１４の取り付け自体は従来から行われていたのであるが、ハンドル部分のみに孔を空けた遮光板を、扉の全面に取り付けていたのが普通である。しかしこの実施形態では従来よりも遮光板１４の幅を狭くし、図３、図４に示すように前扉６と側扉８の各側端部を除く外面に、遮光板１４を取り付けてある。
【００１１】
このため、遮光板１４の遮光効果は前扉６と側扉８の各側端部には及ばない。しかし図４から明らかなように、これらの部分にはフレーム２の縦柱が存在するだけであるから、仮に直射日光を受けても箱本体１の内部に直接影響が及ぶことはない。
【００１２】
また図５に示すように、側扉８を開けたとき側扉８の遮光板１４は壁面に当たることとなるが、側扉８の端部には遮光板１４がないため、側扉８の開き角度を大きく取ることができる。すなわち、従来のように側扉８の端部にまで遮光板を設けた場合には、背後の壁面との緩衝を避けるために図５のＡ寸法をａ+ｂ以上とする必要があり、メンテナンス開口幅を狭くしていた。これに対してこの実施形態のように側扉８の各側端部を除く外面だけに遮光板１４を取り付ければ、Ａ寸法をａ+ｂよりも小さくできるから、メンテナンスが容易となる利点がある。なおこの効果を高めるために、遮光板１４の端部を図示のように円弧状としたり、傾斜させておくことが好ましい。
【００１３】
なお、上記の実施形態ではマウントユニット１０を背板４のみに取り付けたが、前扉６にも補助的なマウントユニット１０を取り付けることも可能である。
【００１４】
【発明の効果】
以上に説明したように、本発明のラックマウント型電子機器収納箱は、箱本体の両側面の側扉の内側位置に、前方に向けて張出する上下の受け金の間にユニットを多数並設できるコ字状のマウントユニットをそれぞれ取り付けたものであるから、箱本体の奥行きが小さくても多数のユニットを取りつけることができるものである。また、マウントユニットを左右に分割したので収納機器が増えた場合にも、壁面からの箱本体の突出量を少なくすることができる。また左右の側扉の内側位置にマウントユニットを配置したので、側扉を開くことにより電子機器類への着脱作業やメンテナンス作業も容易に行える利点がある。
【図面の簡単な説明】
【図１】第１の実施形態を示す斜視図である。
【図２】ユニットを取り付けた状態を示す斜視図である。
【図３】遮光板を取り付けた実施形態を示す斜視図である。
【図４】遮光板を取り付けた実施形態の水平断面図である。
【図５】遮光板を取り付けた実施形態における作用効果の説明図である。
【符号の説明】
１  箱本体
２  フレーム
３  天板
４  背板
５  底板
６  前扉
７  蝶番
８  側扉
９  蝶番
１０  マウントユニット
１１  ユニット
１２  ラックレール
１３  上下の受け金
１４  遮光板
１５  側板
【図１】
0003963706.tif 000002
【図２】
0003963706.tif 000003
【図３】
0003963706.tif 000004
【図４】
0003963706.tif 000005
【図５】
0003963706.tif 000006